(57)【要約】【課題】  ユーザーがケーブルを引き出す際に、引き出し以外の特別な動作をすることなくユーザにケーブルの引き出し位置を通知するケーブル収納機構を提供することを目的とする。【解決手段】  ケーブルの引出し時に、引き出されたケーブルの引き出し位置に応じて、音を変化させて発生させる音発生手段を有する。【選択図】  図３
2008156003.tif 000002
【特許請求の範囲】
【請求項１】
回転力によりケーブルを巻き取り、該ケーブルを収納するケーブル収納機構であって、
ケーブルの引出し時に、引き出されたケーブルの引き出し位置に応じて、音を変化させて発生させる音発生手段を有することを特徴とするケーブル収納機構。
【請求項２】
回転力によりケーブルを巻き取り、該ケーブルを収納するケーブル収納機構であって、
前記ケーブルを引き出すことで回転する回転体と、
前記回転体に設けられた複数の係合部との係合により、回転力によるケーブルの巻き取りを制止するロック手段を有し、
前記ケーブルの引き出し時には、前記係合部とロック手段により音が発生し、
前記複数の係合部の位置関係または大きさを変化させることにより、前記ケーブルの引き出し位置に応じた音が発生することを特徴とするケーブル収納機構。
【請求項３】
前記回転体には、前記ロック手段をガイドするためのリブが設けられ、該リブは、らせん状に前記回転体に設けられていることを特徴とする請求項２に記載のケーブル収納機構。
【発明の詳細な説明】
【技術分野】
【０００１】
本発明は、回転力によりケーブルを巻き取り、ケーブルを収納するケーブル収納機構に関するものである。
【背景技術】
【０００２】
従来、回転式ケーブル引き出し機構には特許文献１のように、ケーブルに赤や黄の表示マークによって限度を超えたコードの引き出しを防ぐようになっている。
【０００３】
また、特許文献２のようにケーブルの引き出し位置を検出する引出位置検出手段を有し、検出されたケーブル位置に応じて、警報を発生させる警報手段及びケーブル引出停止手段を備えたことにより、限度を超えたケーブルの引き出しを行う際に引き出し過ぎを警報し、かつケーブルの引き出しを止める仕組みがある。
【特許文献１】実開昭５９−１７４１４８号公報
【特許文献２】特開平０７−１７１０７９号公報
【発明の開示】
【発明が解決しようとする課題】
【０００４】
従来、回転式ケーブル引き出し機構には、特許文献１のように、ケーブルに転写された表示マークによって限度を超えたコードの引き出しを防ぐようになっている。したがって、ケーブルを見ていなくてはいけないという特別な動作が必要となる。また、ケーブルにゴミが付着した場合、表示マークが不鮮明になる。また注意を怠ってしまい、表示マーク見落としてしまった場合は、ケーブルの引き出し限界を超えて引き出してしまうため、巻き込み不能や断線が起こりうる。
【０００５】
また、特許文献２のようにケーブルの引き出し位置を検出する引出位置検出手段と、それにより検出されたケーブル位置に応じて、警報を発生させる警報手段及びケーブル引出停止手段を備えることにより、ケーブルを引き出す際に引き出し過ぎを警報し、かつケーブルの引き出しを止めることが可能となる。しかし、それでは収納機構とは直接関係のない位置検出手段や停止手段のための部品増やさなくてはならず、大型な装置となり、かつ、コストもかかってしまう。
【０００６】
そこで、本発明では、ユーザーがケーブルを引き出す際に、引き出し以外の特別な動作をすることなくユーザにケーブルの引き出し位置を通知するケーブル収納機構を提供することを目的とする。
【０００７】
さらに、ケーブルの収納機構とは直接関係のない部品を追加せずに、ケーブルの引き出し位置を通知することができるケーブル収納機構を提供することを目的とする。
【課題を解決するための手段】
【０００８】
上記目的を達成するため、本発明のケーブル収納機構は以下の構成を備える。
【０００９】
回転力によりケーブルを巻き取り、ケーブルを収納するケーブル収納機構であって、ケーブルの引出し時に、引き出されたケーブルの引き出し位置に応じて、音を変化させて発生させる音発生手段を有することを特徴とする。
【００１０】
上記目的を達成するため、本発明のケーブル収納機構は以下の構成を備える。
【００１１】
回転力によりケーブルを巻き取り、該ケーブルを収納するケーブル収納機構であって、ケーブルを引き出すことで回転する回転体と、回転体に設けられた複数の係合部との係合により、回転力によるケーブルの巻き取りを制止するロック手段を有し、ケーブルの引き出し時には、前記係合部とロック手段により音が発生し、複数の係合部の位置関係または大きさを変化させることにより、ケーブルの引き出し位置に応じた音が発生することを特徴とする。
【発明の効果】
【００１２】
以上説明したように、本発明によれば、ケーブルの引き出し操作を行うだけで、引き出し位置をユーザーは通知することができる。また、位置検出のための特別な部品を追加することなく引き出し位置をユーザーは通知することのできるケーブル収納機構を提供することができる。
【発明を実施するための最良の形態】
【００１３】
（実施例１）
本実施例の巻き取り式ケーブル収納機構について、図面を参照して説明を行う。
【００１４】
図１は、本実施例のケーブル収納機構の構成を示した図である。
【００１５】
本実施例のケーブル収納機構は、インナーホイール２に回転中心軸２ａを設け、その回転中心軸２ａにケーブル１を巻きつけて、インナーホイール２とアウターホイール３で挟み込むようにケーブル１を固定する。（ケーブル１、インナーホイール２、アウターホイール３を含んだものを以下ケーブルユニットと呼ぶことにする）
また、インナーホイール２にはギアが設けられており、それとかみ合うように香箱ユニット５を設ける。香箱ユニットは、ギアの付いた円柱形のケースである。香箱ユニット５のキアとインナーホイールのギアがかみ合うように、ベース４にインナーホイール２と香箱ユニット５の各々の回転中心を設け、各々の中心にて回転できるように配置する。また香箱ユニット５にはゼンマイ５ａが内蔵されており、余巻きをして香箱ユニット５をベース４に組み込むことにより回転トルクを発生させることができる。この回転トルクが、香箱ユニット５ギアからインナーホール２に伝わり、インナーホイール２に巻きつけられているケーブル１にも回転トルクがかかることになる。この回転トルクにより、ケーブル１は巻き取られる方向に力がかかる。
【００１６】
香箱ユニット５を回転トルクがかかった状態で維持するため、香箱ユニット５の外周に係合部５Ｃ（凸部）を設けられている。また、ロックアーム６がラッチスプリング７によって香箱ユニット５に押し付けられている。係合部５ｃとロックアームが係合することにより、香箱ユニット５は回転トルクが係った状態で維持され、また、回転トルクにより香箱５、インナーホイール２、が回転し、ケーブルが巻き取られるのを防いでいる。また回転トルク維持状態を解除するためのシャフトユニット８が設置されており、このシャフトユニットにより回転トルク維持状態を解除すると、香箱ユニット５、インナーホイール２が回転し、ケーブル１が巻き取られる。
【００１７】
次に、図２を参照して具体的な動作を説明する。
【００１８】
ケーブル１を矢印Ａ方向に引っ張りケーブル１を引き出すと、ケーブルユニットがＢ方向に回転する。するとギヤでかみ合っている香箱ユニット５が回転トルクとは逆方向のＣ方向に回転する。ケーブルの引き出しをやめると、引き出し方向とは逆の回転トルクがかっている方向に回転力がかかり、ケーブルが巻き取られてしまうので、香箱ユニット５の係合部５ｃとロックアーム６を係合させることにより、ケーブル１が巻き取られるのを制止している。また、このロックアーム６は、ケーブル１引き出し時には係合部を乗り越え可能なように構成されており、その乗り越えの際にカチカチっという音が発生する。その音の間隔や、音の大きさを変化させることにより、ユーザーにケーブルの引き出し位置を報知させることが可能になる。
【００１９】
図３は、香箱ユニット５、ロックアーム６の構成を詳細に表した図である。香箱ユニット５には、ロックアーム６をガイドするためのリブ５ｂが設けられている。このリブ５ｂは香箱ユニット５にスパイラル状に設けられているため、ロックアーム６は、香箱ユニット５を２周することできるように構成されている。そのため、スパイラル状のリブが設けられていなく１週しかできない香箱ユニットに比べて、円柱状の香箱ユニットの直径を小さくすることができる。
【００２０】
ロックアーム６は、ガイドスプリング９によって下方向に押し付けられているため、香箱ユニット５に設けられたスパイラル形状のリブに押しつけられている。ケーブル１を引き出すと、香箱ユニット５がＣ方向に回転し、リブ５ｂにそってロックアーム６は下がってくる。ロックアーム６が当接する係合部５ｃが、ケーブル１を引き出すにつれて大きくなっているため、ほぼ一定のスピードでケーブルを引き出せば、係合部５ｃを乗り越える時間がケーブルを引き出すにつれて長くなる。ケーブルを引き出す際に発生する音の間隔が広がるため、ユーザは引き出し位置を認識することが可能になる。引き出し位置を認識できることにより、ケーブルの引出し過ぎを防止することができる。
【００２１】
図４ａは、本実施例の香箱ユニット５の係合部をスパイラルリブ形状のリブ５ｂにそって切断し展開した係合部５ｃを示したものである。
【００２２】
（実施例２）
図４ｂに示したように、香箱ユニット５の係合部５ｃの間隔を変化（図４ｂは広くした場合だが、狭くした場合も可能）させることによりユーザーがほぼ一定のスピードでケーブル１を引き出せば、発生する音の間隔が大きくなるため、引き出し位置を認識することが可能になり、引出し過ぎを防止することができる。
【００２３】
（実施例３）
図４ｃに示したように、香箱ユニット５の係合部５ｃの間隔を引出し限界位置近傍に他より短い間隔で設け、乗り越えた際の短い間隔の音を出すことによりケーブル１の引き出し状態を報知し、引き出し過ぎを防止することができる。
【００２４】
（実施例４）
板バネや鈴等の叩くと音が出る警報手段１０を収納機構カバー１１と接続し、アームロック６が図６に示したように係合部５ｃを乗り越えと同時に警報手段を叩くことによりケーブル１の引き出し状態を報知し、引き出し過ぎを防止する
（その他の実施例）
その他にも、引き出し限界に近づくと、係合部５ｃの間隔が小さくなるように配置することにより、ケーブルの引き出し位置をユーザに知らせても良いし、引き出し限界に近づくと音が二回連続で鳴るように係合部を設けても良い。音の発生方法は上記実施例に限定されず、音の鳴り方に応じてケーブルの引き出し位置が認識できるようであればよい。
【図面の簡単な説明】
【００２５】
【図１】本発明の実施例に係る、ケーブル収納機構の構成を示した図である。
【図２】本発明の実施例に係る、ケーブル収納機構の構成を示した図である。
【図３】本発明の実施例に係る、ケーブル収納機構の香箱ユニット５とロックアーム６の構成を示した図である。
【図４】本発明の実施例に係る、香箱ユニット５に設けられた係合部説明するための図である。
【図５】本発明の実施例に係る、警報手段１０を説明するための図である。
【符号の説明】
【００２６】
１  ケーブル
２  インナーホイール  ケーブルユニット
２ａ  回転中心軸
３  アウターホイール
４  ベース
４ａ  ガイド軸
５  香箱ユニット
５ａ  ゼンマイ
５ｂ  リブ
５ｃ  係合部
６  ロックアーム（ロック手段）
７  ラッチスプリング
８  シャフト  ユニット
９  ガイドスプリング
１０  警報手段
１１  収納機構カバー（警報手段固定）
【図１】
2008156003.tif 000003
【図２】
2008156003.tif 000004
【図３】
2008156003.tif 000005
【図４】
2008156003.tif 000006
【図５】
2008156003.tif 000007